(57)【要約】【課題】  金網からなる防虫網を暗箱に挿通する際に生じていた暗箱の削りくず発生をなくし、筐体内部の感知器基台と感知器カバーとの接合部を介した小昆虫等が感知器内部への侵入を防ぎ、感知器筐体のデザイン上の制約を解消する。【解決手段】  火災の発生により生じる煙を、筐体に穿たれた導入孔を介して筐体内部に取り込み、筐体内部に設けられた検出部により検出する火災感知器において、導入孔に小昆虫等の侵入を阻止する防虫網を、筐体と防虫網を樹脂一体成形体等とすることにより、筐体と一体に形成した。【選択図】  図３
2006195652.tif 000002
【特許請求の範囲】
【請求項１】
火災の発生により生じる煙を、筐体に穿たれた導入孔を介して筐体内部に取り込み、該筐体内部に設けられた検出部により検出する火災感知器において、
前記導入孔に小昆虫等の侵入を阻止する防虫網を前記筐体と一体に形成したことを特徴とする火災感知器。
【請求項２】
筐体と防虫網とを樹脂一体成形体とすることにより、導入孔に小昆虫等の侵入を阻止する防虫網を形成したことを特徴とする請求項１に記載の火災感知器。
【請求項３】
検出部が暗箱を有する散乱光式煙検出部であることを特徴とする請求項１または２に記載の火災感知器。
【発明の詳細な説明】
【技術分野】
【０００１】
本発明は、小昆虫等が検出部に侵入することを防止できる構造を有する火災感知器に関するものである。
【背景技術】
【０００２】
従来より、火災の発生により生じる熱、煙等を検出する火災感知器が種々提案され、使用されてもいる。これらの火災感知器のうち、検出部として、煙の光散乱作用を利用する散乱光式煙検出部を有する火災感知器、あるいは、煙の空気イオン捕捉作用を利用するイオン化式煙検出部を有する火災感知器においては、検出部に小昆虫等が侵入することにより検出動作に支障を来すことがないよう、検出部の周囲に小昆虫等の侵入を阻止する防虫網を設けている。
【０００３】
その一例を第４図および第５図によって示すと、第４図は従来の散乱光式煙検出部を有する感知器本体（筐体）２１の外観図であり、第５図はその断面図である。天井面等に設置された感知器ベース（図示せず）に着脱自在に取り付けられる感知器本体（筐体）２１の内部には、外来光の侵入を防ぎ、煙をその内側に取り込む暗箱２２が設けられている。この暗箱２２の内部には、発光素子２３から照射された光の煙による散乱光を受光素子２４により検出することにより、煙の存在を検出する検出部２５が形成されている。この暗箱２２の周壁は縦方向に並べられた複数の薄板２６からなり、その隙間に外来光の侵入を防ぐラビリンス状の煙導入路が形成されている。そして、この煙導入路を介して小昆虫等が検出部２５に侵入することがないように、暗箱周囲は金網あるいはメッシュ状に多数の細孔が穿たれた金属薄板からなる防虫網２７により覆われている。（例えば、特許文献１参照。）。
【０００４】
【特許文献１】実開平１−１１１３９４号公報（第１図、第２図）
【発明の開示】
【発明が解決しようとする課題】
【０００５】
ところで、上記のような火災感知器は、防虫網２７を設けるため、次のように組み立てる。すなわち、第６図はその組み立て図であって、感知器本体（筐体）２１は構造的に大別して、感知器基台２８、防虫網２７、暗箱２２および感知器カバー２９から構成されている。なお、この組み立て図においては、先の第４図および第５図と対比し易いように感知器基台２８を上として描いてあるが、実際の組み立てにおいては感知器カバー２９を上とし、感知器基台２８が下となるように配置して作業する。
【０００６】
組み立てにおいて、まず防虫網２７を暗箱２２に挿通し、それを感知器基台２８上に置く。つぎに、内側に暗箱２２を収容した状態で感知器カバー２９を感知器基台２８にあてがい、感知器カバー２９の周囲に設けられた嵌合爪３０を、感知器基台２８の周壁内側に形成された嵌合孔（図示せず）に嵌合させて、組み立てが終了する。
【０００７】
従来の火災感知器は、上記のような作業を経て組み立てるが、このような防虫網２７を有するために、いくつかの課題が発生していた。すなわち、防虫網２７を暗箱２２に挿通する際に、金網あるいはメッシュ状に多数の細孔が穿たれた金属薄板からなる防虫網２７が、それと較べて柔らかな樹脂成型品からなる暗箱２２の外周部を削ってしまい、その削りくずが暗箱内部に残ってノイズ散乱光の発生要因となる。そのため、この組み立てには慎重な作業が要求されていた。また、このような構造を有するため、防虫網２７の外周囲にある筐体内部の感知器基台２８と感知器カバー２９との接合部３１には隙間が生じやすく、この接合部３１を介して小昆虫等が感知器内部に侵入する虞があった。さらに、金網あるいはメッシュ状に多数の細孔が穿たれた金属薄板からなる防虫網２７は、煙流入特性を向上させるために、感知器カバー２９に穿たれた導入孔３２を介して露出された構造となることが多い。そのため、樹脂成型品からなる感知器カバー２９の色調と異なり、デザイン上の大きな制約となっていた。
【０００８】
そこで、本発明は、従来のような防虫網を用いることなく暗箱内部への小昆虫等の侵入を阻止できる構造とすることにより、上記課題を解決することを目的としている。
【課題を解決するための手段】
【０００９】
上記目的を達成するため、請求項１記載の発明は、火災の発生により生じる煙を、筐体に穿たれた導入孔を介して筐体内部に取り込み、筐体内部に設けられた検出部により検出する火災感知器において、導入孔に小昆虫等の侵入を阻止する防虫網を前記筐体と一体に形成したことをことを特徴としている。
【００１０】
また、請求項２記載の発明は、請求項１に記載の感知器において、筐体と防虫網とを樹脂一体成形体とすることにより、導入孔に小昆虫等の侵入を阻止する防虫網を形成したことを特徴としている。
【００１１】
また、請求項３記載の発明は、請求項１または２に記載の感知器において、検出部が暗箱を有する散乱光式煙検出部であることを特徴としている。
【発明の効果】
【００１２】
請求項１記載の発明によれば、筐体に穿たれた導入孔に小昆虫等の侵入を阻止する防虫網を前記筐体と一体に形成したので、従来のような防虫網の組み立て作業が不要となるばかりでなく、従来のように筐体内部の接合部（防虫網の外周囲にあった感知器基台と感知器カバーとの接合部）に隙間が生じても、この接合部を介した小昆虫等の感知器内部への侵入が阻止できる。
【００１３】
また、請求項２記載の発明によれば、請求項１記載の感知器において、筐体と防虫網とを樹脂一体成形体とすることにより、導入孔に小昆虫等の侵入を阻止する防虫網を形成したので、筐体成型時に防虫網を同時に形成させることができるばかりでなく、防虫網が筐体と同一色調となってデザイン上の制約から開放される。
【００１４】
また、請求項３記載の発明によれば、請求項１または２に記載の感知器において、検出部が暗箱を有する散乱光式煙検出部である場合には、防虫網を暗箱に挿通する作業が不要となるばかりではなく、樹脂成型品からなる暗箱の外周部が削られることにより発生するノイズ散乱光もなくなる。
【発明を実施するための最良の形態】
【００１５】
以下、本発明を実施するための最良の形態を図面に基づいて説明する。
【実施例】
【００１６】
第１図は、本発明を散乱光式煙検出部を有する火災感知器に実施した場合の感知器本体（筐体）１の外観図であり、第２図は、その断面図である。天井面等に設置された感知器ベース（図示せず）に着脱自在に取り付けられる感知器本体（筐体）１の内部には、外来光の侵入を防ぎ、煙をその内側に取り込む暗箱２が設けられている。この暗箱２の内部には、発光素子３から照射された光の煙による散乱光を受光素子４により検出することにより、煙の存在を検出する検出部５が形成されている。この暗箱２の周壁は縦方向に並べられた複数の薄板６からなり、その隙間に外来光の侵入を防ぐラビリンス状の煙導入路が形成されている。ここまでの構成は、上記従来の火災感知器と変わるところがない。
【００１７】
本発明による火災感知器は、筐体に穿たれた煙の導入孔に小昆虫等の侵入を阻止する防虫網を筐体と一体に形成したことを特徴としており、本実施例においては、感知器本体（筐体）１と防虫網７とを樹脂一体成形体とすることにより、筐体に穿たれた煙の導入孔８に小昆虫等の侵入を阻止する防虫網７を筐体と一体に形成している。防虫網７の網目の大きさは、０．７ｍｍ以下とすると、検出動作に支障を来す小昆虫等の侵入を阻止することができる。このように、感知器本体（筐体）１と防虫網７とを樹脂一体成形体とすると、両者が同一色調となって従来のデザイン上の制約から開放され、また、導入孔８の周囲と防虫網７との間に小昆虫等が侵入する隙間が生じる虞もない。
【００１８】
なお、筐体に穿たれた煙の導入孔に小昆虫等の侵入を阻止する防虫網を筐体と一体に形成するには、感知器本体（筐体）と防虫網とを樹脂一体成形体とすることなく、それぞれ別部品として製作したものを、感知器組み立て以前に、両者を接合等により一体としておいてもよいが、これは部品点数、製作工数を増加させ、また、導入孔の周囲と防虫網との間に小昆虫等が侵入する隙間が生じないような新たな工夫が必要となる。
【００１９】
上記のような本発明による火災感知器は、次のように組み立てる。すなわち、第３図はその組み立て図であって、本発明による火災感知器の感知器本体（筐体）は構造的に大別して、感知器基台９、暗箱２および感知器カバー１０から構成されている。なお、この組み立て図においては、先の第１図および第２図と対比し易いように感知器基台９を上として描いてあるが、実際の組み立てにおいては感知器カバー１０が上とし、感知器基台９が下となるように配置して作業する。
【００２０】
組み立てにおいて、まず暗箱２を感知器基台９上に置く。つぎに、内側に暗箱２を収容した状態で感知器カバー１０を感知器基台９にあてがい、感知器カバー１０の周囲に設けられた嵌合爪１１を、感知器基台９の周壁内側に形成された嵌合孔（図示せず）に嵌合させて、組み立てが終了する。
【００２１】
本発明による火災感知器は、上記のような作業により組み立てることができるので、従来の火災感知器のような防虫網を有する火災感知器と較べ、つぎのような利点を有する。すなわち、防虫網を暗箱に挿通する必要がないので、金網あるいはメッシュ状に多数の細孔が穿たれた金属薄板からなる防虫網が、それと較べて柔らかな樹脂成型品からなる暗箱の外周部を削る虞がなく、慎重な作業が要求されることもない。特に、感知器本体（筐体）と防虫網とを樹脂一体成形体とした実施例のような場合には、暗箱の外周部が削られる虞は全くなくなる。
【００２２】
また、このような組み立て構造を有するため、筐体内部の感知器基台９と感知器カバー１０との接合部１２に隙間が生じても、この接合部１２は防虫網７の内側に位置するため、この接合部１２を介して小昆虫等が感知器内部に侵入する虞もなくなる。
【００２３】
さらに、感知器本体（筐体）と防虫網とを樹脂一体成形体とした実施例のような場合には、導入孔８に小昆虫等の侵入を阻止する防虫網７を形成したので、筐体成型時に防虫網を同時に形成させることができるばかりでなく、外見上、防虫網が筐体と同一色調となってデザイン上の制約から開放される。
【産業上の利用可能性】
【００２４】
上記実施例においては、検出部として暗箱を有する散乱光式煙検出部を採用したが、煙の空気イオン捕捉作用を利用するイオン化式煙検出部を採用しても、同様な効果が期待できる。すなわち、従来の感知器において、防虫網の外周囲にあって、筐体内部の感知器基台と感知器カバーとの接合部により発生していた小昆虫等の感知器内部への侵入の虞もなくなる。また、感知器本体（筐体）と防虫網とを樹脂一体成形体とすれば、導入孔に小昆虫等の侵入を阻止する防虫網を形成したので、筐体成型時に防虫網を同時に形成させることができるばかりでなく、外見上、防虫網が筐体と同一色調となってデザイン上の制約から開放される。
【図面の簡単な説明】
【００２５】
【図１】本発明による火災感知器の外観図を示す図である。
【図２】本発明による火災感知器の断面図を示す図である。
【図３】本発明による火災感知器の組み立て図を示す図である。
【図４】従来の火災感知器の外観図を示す図である。
【図５】従来の火災感知器の断面図を示す図である。
【図６】従来の火災感知器の組み立て図を示す図である。
【符号の説明】
【００２６】
１      感知器本体（筐体）
２      暗箱
３      発光素子
４      受光素子
５      検出部
６      薄板
７      防虫網
８      導入孔
９      感知器基台
１０      感知器カバー
１１      嵌合爪
１２      接合部
【図１】
2006195652.tif 000003
【図２】
2006195652.tif 000004
【図３】
2006195652.tif 000005
【図４】
2006195652.tif 000006
【図５】
2006195652.tif 000007
【図６】
2006195652.tif 000008